(57)【要約】【課題】従来よりも耐熱性に優れ、パティキュレートの燃焼除去頻度を低減することが可能であり、寸法精度が良く、圧力損失の上昇を極力抑えることが可能な基材を有する排ガス浄化フィルタを提供すること。【解決手段】導入通路２１と多孔質隔壁２５と排出通路２２とを備えた基材２を有する。基材２は、多孔質隔壁２５を四角形格子状に配したメインセル壁２５１と、メインセル２０と、スキン層２６とを有する。導入通路２１の下流端と排出通路２２の上流端は栓部材４で閉塞されている。メインセル２０の一部は四角形の二つの対角線上の一方あるいは両方にサブセル壁３が配された分割セル３０である。規則配列領域内では、第１分割セル３１と第２分割セル３２が必ず存在し、存在割合は実質的に同じであり、メインセル壁２５１に平行な２方向においてｎ個離れた分割セル３０同士が同じ形状を有し、メインセル２０の総数に対する分割セル３０の割合は、７０％以下。【選択図】図１
2007291999.tif 000002
【特許請求の範囲】
【請求項１】
内燃機関から排出されるパティキュレートを含む排ガスを導入する導入通路と、上記パティキュレートを捕集する多孔質隔壁と、上記パティキュレートが除去された後の排ガスを排出する排出通路とを備えたハニカム状の基材を有する排ガス浄化用フィルタであって、
上記基材は、上記多孔質隔壁を四角形格子状に配したメインセル壁と、該メインセル壁によって囲まれたメインセルとを有すると共に、外周側面を覆うスキン層を有し、
該メインセルのうち、上記導入通路となるメインセルの下流端と、上記排出通路となるメインセルの上流端とは、栓部材によって閉塞されており、
上記メインセルの少なくとも一部は、該メインセルを分割するように、メインセルの四角形の二つの対角線上の一方あるいは両方にサブセル壁が配された分割セルであり、
上記スキン層から５セル以内の外周領域よりも内側には、上記分割セルを規則性をもって配置した規則配列領域が存在しており、
該規則配列領域内では、上記サブセル壁が第１の対角線上のみに形成された第１分割セルと、上記サブセル壁が上記第１の対角線と直交する第２の対角線上のみに形成された第２分割セルの二種類が必ず存在し、且つ、その存在割合は実質的に同じであり、
さらに、上記規則配列領域内では、上記メインセル壁に平行な２方向においてｎ個（ｎは４以上の自然数とする。）離れた上記分割セル同士が同じ形状を有し、かつ、上記規則配列領域内に存在する上記メインセルの総数に対する上記分割セルの割合は、７０％以下であることを特徴とする排ガス浄化用フィルタ。
【請求項２】
請求項１において、上記規則配列領域内では、任意の一つの上記第１分割セルにおける上記サブセル壁の延長線である第１延長線上に上記サブセル壁が存在するように第１分割セルが配列され、任意の一つの上記第２分割セルにおける上記サブセル壁の延長線である第２延長線上に上記サブセル壁が存在するように上記第２分割セルが配列されていることを特徴とする排ガス浄化用フィルタ。
【請求項３】
請求項３において、上記規則配列領域内では、上記第１延長線と上記第２延長線との交点を含むメインセルは、上記サブセル壁が上記第１の対角線上及び上記第２の対角線上の両方に形成された第３分割セルであることを特徴とする排ガス浄化用フィルタ。
【請求項４】
請求項２又は３において、上記規則配列領域内では、上記第１延長線上と上記第２延長線上に連続的にサブセル壁が存在するように上記分割セルが配列されていることを特徴とする排ガス浄化用フィルタ。
【請求項５】
請求項２又は３において、上記規則配列領域内では、上記第１延長線上と上記第２延長線上に一つ置きにサブセル壁が存在するように上記分割セルが配列されていることを特徴とする排ガス浄化用フィルタ。
【請求項６】
請求項１〜５のいずれか一項において、上記分割セルは、上記排出通路となる位置にのみ形成されていることを特徴とする排ガス浄化用フィルタ。
【請求項７】
請求項１〜６のいずれか一項において、上記外周領域内のメインセルは、全て上記分割セルであることを特徴とする排ガス浄化用フィルタ。
【請求項８】
請求項７において、上記外周領域内の上記分割セルは、上記サブセル壁が上記第１の対角線上及び上記第２の対角線上の両方に形成された第３分割セルであることを特徴とする排ガス浄化用フィルタ。
【請求項９】
請求項１〜８のいずれか一項において、上記基材は、コーディエライトを主成分とするセラミックスよりなることを特徴とする排ガス浄化用フィルタ。
【請求項１０】
請求項１〜９のいずれか一項において、上記基材の気孔率は４５〜７０％であることを特徴とする排ガス浄化用フィルタ。
【発明の詳細な説明】
【技術分野】
【０００１】
本発明は、ディーゼルエンジン等の内燃機関から排出される排ガス中のパティキュレートを捕集して排ガスの浄化を行う排ガス浄化用フィルタに関する。
【背景技術】
【０００２】
従来より、内燃機関から排出される排ガス中のパティキュレートを捕集して排ガスの浄化を行う排ガス浄化フィルタがある。
該排ガス浄化フィルタは、内燃機関から排出されるパティキュレートを含む排ガスを導入する導入通路となるセルと、上記パティキュレートを捕集する多孔質隔壁と、上記パティキュレートが除去された後の排ガスを排出する排出通路となるセルを備えたハニカム状の基材を有するものである（特許文献１）。
【０００３】
また、上記導入通路となるセルの下流端と、排出通路となるセルの上流端とは栓部材によって閉塞されるのが一般的である。
そして、この基材を備えた排ガス浄化フィルタを用いて排ガスを浄化する際には、上記導入通路となるセルに浸入した排ガスが、上記多孔質隔壁を通過して隣のセルよりなる排出通路に移動する。このとき、上記排ガス中のパティキュレートが上記多孔質隔壁に捕集され、排ガスが浄化される。
上記排ガス浄化フィルタに捕集されたパティキュレートは、定期的に燃焼除去される。そして、これにより、上記多孔質隔壁の捕集機能は再生する。なお、燃焼除去方法としては、様々な方法が提案されている。
【０００４】
ところで、上記排ガス浄化フィルタに捕集されたパティキュレートを燃焼除去する際には、その燃焼により発生した熱の影響で、上記基材が破損するおそれがある。また、燃焼時の熱の発生は、捕集したパティキュレートが多いほど大きい。そのため、熱による基材の破損を防止するために、パティキュレートの燃焼除去を行う間隔を短くしてその頻度を高め、１回で燃焼させるパティキュレートの量を少なくする工夫が必要となる。そのため、この燃焼除去を行う際の制御が複雑になると共に、コスト的にも不利となってしまう。
【０００５】
【特許文献１】特開２００１−９６１１３号公報
【発明の開示】
【発明が解決しようとする課題】
【０００６】
本発明は、かかる従来の問題点に鑑みてなされたものであって、従来よりも耐熱性に優れ、パティキュレートの燃焼除去頻度を低減することが可能であり、寸法精度が良く、圧力損失の上昇を極力抑えることが可能な基材を有する排ガス浄化フィルタを提供しようとするものである。
【課題を解決するための手段】
【０００７】
本発明は、内燃機関から排出されるパティキュレートを含む排ガスを導入する導入通路と、上記パティキュレートを捕集する多孔質隔壁と、上記パティキュレートが除去された後の排ガスを排出する排出通路とを備えたハニカム状の基材を有する排ガス浄化用フィルタであって、
上記基材は、上記多孔質隔壁を四角形格子状に配したメインセル壁と、該メインセル壁によって囲まれたメインセルとを有すると共に、外周側面を覆うスキン層を有し、
該メインセルのうち、上記導入通路となるメインセルの下流端と、上記排出通路となるメインセルの上流端とは、栓部材によって閉塞されており、
上記メインセルの少なくとも一部は、該メインセルを分割するように、メインセルの四角形の二つの対角線上の一方あるいは両方にサブセル壁が配された分割セルであり、
上記スキン層から５セル以内の外周領域よりも内側には、上記分割セルを規則性をもって配置した規則配列領域が存在しており、
該規則配列領域内では、上記サブセル壁が第１の対角線上のみに形成された第１分割セルと、上記サブセル壁が上記第１の対角線と直交する第２の対角線上のみに形成された第２分割セルの二種類が必ず存在し、且つ、その存在割合は実質的に同じであり、
さらに、上記規則配列領域内では、上記メインセル壁に平行な２方向においてｎ個（ｎは４以上の自然数とする。）離れた上記分割セル同士が同じ形状を有し、かつ、上記規則配列領域内に存在する上記メインセルの総数に対する上記分割セルの割合は、７０％以下であることを特徴とする排ガス浄化用フィルタにある（請求項１）。
【０００８】
本発明の排ガス浄化用フィルタは、上述したごとく、メインセルの少なくとも一部に、メインセルの上記四角形の二つの対角線上の一方あるいは両方にサブセル壁が配された分割セルを有する基材を用いている。そのため、この基材は、上記サブセル壁が増加した分だけ、これがないものに比べて熱容量が増加し、また、剛性が高まる。
熱容量の増加は耐熱性の向上につながる。それ故、上記排ガス浄化用フィルタは、従来よりも耐熱性に優れたものとなり、補修したパティキュレートを燃焼除去する頻度を少なくすることができる。
また、上記サブセル壁は、上述したように上記対角線上に配するため、収縮方向のバラツキが軽減され、寸法精度を高めることができる。
【０００９】
また、単に上記分割セルを有するだけでなく、上記分割セルを規則性をもって配置した規則配列領域を有する。これにより、優れた寸法精度を有することができ、圧力損失を小さくすることができる。
即ち、上記規則配列領域内では、上記サブセル壁が第１の対角線上のみに形成された第１分割セルと、上記サブセル壁が上記第１の対角線と直交する第２の対角線上のみに形成された第２の分割セルの二種類が必ず存在し、且つ、その存在割合は実質的に同じである。これより、基材断面で強度のバランスをとることができ、収縮方向のバラツキがなくなるため、寸法精度を向上することができる。
【００１０】
さらに、上記規則配列領域内では、上記メインセル壁に平行な２方向においてｎ個離れた上記分割セル同士が同じ形状を有し、かつ、上記規則配列領域内に存在する上記メインセルの総数に対する上記分割セルの割合は７０％以下である。そのため、上記分割セルは比較的大きな配列単位を形成し、かつ、分割セルの割合に上限を設けることで、適当な開口面積を得ることができるため、圧力損失を小さくすることができる。
【発明を実施するための最良の形態】
【００１１】
本発明の排ガス浄化用フィルタにおいては、上記規則配列領域内では、任意の一つの上記第１分割セルにおける上記サブセル壁の延長線である第１延長線上に上記サブセル壁が存在するように上記第１分割セルが配列され、任意の一つの上記第２分割セルにおける上記サブセル壁の延長線である第２延長線上に上記サブセル壁が存在するように上記第２分割セルが配列されていることが好ましい（請求項２）。
この場合には、上記分割セルは、強度バランスが整うように配置され、収縮方向のバラツキがより一層低減されるため、さらに寸法精度を高めることができる。
【００１２】
また、上記規則配列領域内では、上記第１延長線と上記第２延長線との交点を含むメインセルは、上記サブセル壁が上記第１の対角線上及び上記第２の対角線上の両方に形成された第３分割セルであることが好ましい（請求項３）。
この場合には、さらに強度バランスが良好になり、基材が収縮し難くなるため、より優れた寸法精度を有することができる。
【００１３】
また、上記規則配列領域内では、上記第１延長線上と上記第２延長線上に連続的にサブセル壁が存在するように上記分割セルが配列されていることが好ましい（請求項４）。
この場合には、サブセル壁を連続的に設けることによって、サブセル壁が支柱のような働きを担い強度が増すため、収縮し難くなる。そのため、さらに寸法精度を向上することができる。
【００１４】
また、上記規則配列領域内では、上記第１延長線上と上記第２延長線上に一つ置きにサブセル壁が存在するように上記分割セルが配列されていることが好ましい（請求項５）。
この場合には、上記第１延長線上及び第２延長線上に上記サブセル壁が断続的に存在することで寸法精度を保ちながら、分割セルの数を少なくすることで適当な開口面積を有し、圧力損失をさらに小さく抑えることができる。
【００１５】
また、上記分割セルは、上記排出通路となる位置にのみ形成されていることが好ましい（請求項６）。
この場合には、上記導入通路には上記サブセル壁を設けないので、導入通路において生じる圧力損失を低く抑えることができる。
【００１６】
また、上記外周領域内のメインセルは、全て上記分割セルであることが好ましい（請求項７）。
この場合には、外周領域においてサブセル壁が増加するため、耐熱性が高まり、また、剛性が増しより収縮し難くなるため、寸法精度をさらに向上することができる。
【００１７】
また、上記外周領域内の上記分割セルは、上記サブセル壁が上記第１の対角線上及び上記第２の対角線上の両方に形成された第３分割セルであることが好ましい（請求項８）。
この場合には、外周領域の強度バランスが良好になり、さらに収縮方向にバラツキがなくなり、収縮し難くなるため、より一層寸法精度を向上することができる。
【００１８】
また、上記基材は、コーディエライトを主成分とするセラミックスよりなることが好ましい（請求項９）。
上記基材としては、現在のところＳｉＣを用いるのが主流であるが、これに比べてコーディエライトは耐熱性が低い。そのため、上記構成が特に有効である。また、コーディエライトを採用することによって、ＳｉＣの場合よりもコストを低くすることもできる。
【００１９】
また、上記基材の気孔率は４５〜７０％であることが好ましい（請求項１０）。
この場合は、フィルタの圧力損失を低く維持しながら、フィルタの浄化性能を高くすることができる。上記気孔率とは、細孔容積／基材の体積×１００（％）であり、この気孔率はポロシメータを用いた水銀圧入法により細孔容積を求めて測定することができる。上記気孔率が４５％未満の場合には、圧力損失が高くなるという問題があり、一方、上記気孔率が７０％を超える場合には、排ガス浄化フィルタの強度が低下するという問題や、フィルタの浄化性能が低下するという問題が生じるおそれがある。
【実施例】
【００２０】
（実施例１）
本発明の排ガス浄化用フィルタにかかる実施例につき、図１〜図３を用いて説明する。
本例の排ガス浄化用フィルタ１は、図１に示すごとく、内燃機関から排出されるパティキュレートを含む排ガス９（図２）を導入する導入通路２１と、上記パティキュレートを捕集する多孔質隔壁２５と、上記パティキュレートが除去された後の排ガスを排出する排出通路２２とを備えたハニカム状の基材２を有する排ガス浄化フィルタ１である。
上記基材２は、上記多孔質隔壁２５を四角形格子状に配したメインセル壁２５１と、該メインセル壁２５１によって囲まれたメインセル２０とを有すると共に、外周側面を覆うスキン層２６を有し、該メインセル２０のうち、上記導入通路２１となるメインセル２０の下流端と、上記排出通路２２となるメインセル２０の上流端とは、栓部材４によって閉塞されている。
【００２１】
上記メインセル２０の少なくとも一部は、図１、図３に示すごとく、該メインセル２０を分割するように、メインセル２０の上記四角形の二つの対角線上の一方あるいは両方にサブセル壁３が配された分割セル３０（３１、３２、３３）である。
上記スキン層２６から５セル以内の外周領域より内側には、上記分割セル３０を規則性をもって配置した規則配列領域が存在している（本例では、外周領域も含めて全体が規則配列領域となっている）。
該規則配列領域内では、上記サブセル壁３が第１の対角線上のみに形成された第１分割セル３１と、上記サブセル壁３が上記第１の対角線と直交する第２の対角線上のみに形成された第２分割セル３２の二種類が必ず存在し、且つ、その存在割合は実質的に同じである。
さらに、上記規則配列領域内では、上記メインセル壁２５１に平行な２方向において４個離れた上記分割セル３０同士が同じ形状を有し、かつ、上記規則配列領域内に存在する上記メインセル２０の総数に対する上記分割セル３０の割合は、３７．５％である。
以下、さらに詳説する。
【００２２】
上記基材２は、図１、図２に示すごとく、円筒状の外径形状を有しており、その軸方向に多数のメインセル２０を有している。メインセル２０は、上記のごとく、四角形格子状に配されたメインセル壁２５１によって囲まれており、上記導入通路２１または上記排出通路２２のいずれかの役割を担っている。導入通路２１と排出通路２２の配置は、これらが交互に配されるようにしてある。
また、図２は、分かり易くするためにサブセル壁を省略してある。
【００２３】
そして、本例の基材２は、図３に示すごとく、上記スキン層２６より内部が規則配列領域となっており、メインセル２０の一部は、メインセル２０の四角形における２つの対角線上の一方あるいは両方にサブセル壁３を配した分割セル３０である。
本例における分割セル３０としては、上記サブセル壁３が第１の対角線上のみに形成された第１分割セル３１と、上記サブセル壁３が上記第１の対角線と直交する第２の対角線上のみに形成された第２分割セル３２と、上記サブセル壁３が上記第１の対角線上及び上記第２の対角線上の両方に形成された第３分割セル３３がある。
【００２４】
そして、いずれの分割セル３０も、上記メインセル壁２５１に平行な２方向において４個離れた上記分割セル３０同士が同じ形状である。すなわち、図３に示すごとく、任意の１つの分割セル３０として、同図における第１分割セル３１ａを選択した場合には、上記メインセル壁２５１の水平方向に左右に４個離れた分割セル３１ｂ、３１ｃが、上記第１分割セル３１ａと同じ形状を有しており、また、上記メインセル壁２５１の垂直方向に上下に４個離れた分割セル３１ｄ、３１ｅも、上記第１分割セル３１ａと同じ形状を有している。
【００２５】
また、任意の１つの分割セル３０として、同図における第２分割セル３２ａを選択した場合には、上記と同様に、上記メインセル壁２５１の水平方向又は垂直方向に４個離れた分割セル３２ｂ〜３２ｅが、上記第２分割セル３２ａと同じ形状を有している。
また、任意の１つの分割セル３０として、同図における第３分割セル３３ａを選択した場合には、上記と同様に、上記メインセル壁２５１の水平方向又は垂直方向に４個離れた分割セル３３ｂ〜３３ｅが、上記第３分割セル３３ａと同じ形状を有している。
【００２６】
また、任意の一つの第１分割セル３１における上記サブセル壁３の延長線である第１延長線Ｋ上に連続的にサブセル壁３が存在するように第１分割セル３１が配列され、任意の一つの第２分割セル３２における上記サブセル壁３の延長線である第２延長線Ｌ上に連続的にサブセル壁３が存在するように第２分割セル３２が配列されている。また、上記第１延長線Ｋと上記第２延長線Ｌとの交点を含むメインセル２０は、上記サブセル壁３が上記第１の対角線上及び上記第２の対角線上の両方に形成された第３分割セル３３である。
【００２７】
また、図１に示すごとく、上記分割セル３０は、上記排出通路２２となる位置にのみ形成されている。図１及び図２に示すごとく、基材２の両端には、上記のごとく栓部材４が配設されている。栓部材４は、導入通路２１の下流端と排出通路２２の上流端に配され、メインセル２０全体、つまりサブセル壁３が隠れるように配設されている。従って、端面から見ると、四角形状の閉塞部が交互に存在し、閉塞されていない部分は、四角形状のメインセル２０が存在する状態となっている。
なお、上記メインセル壁２５１及びサブセル壁３の表面には、必要に応じて酸化触媒あるいはＮＯX還元触媒等を担持させることができる。
【００２８】
このような排ガス浄化フィルタ１を製造するに当たっては、製造工程そのものは従来と同様の工程を採用することができる。すなわち、基材２の材料となる粘度状の原料をハニカム状の成形体として押し出し成形すると共に所定の長さに切断し、その成形体を乾燥・焼成させる。また、この乾燥・焼成の後又は前の工程において、栓部材４となる原料を閉塞するべき部分に配設し、これも、乾燥・焼成させる。
ここで、本例の排ガス浄化用フィルタ１に特有のこととしては、上記押し出し成形時の金型として、上記メインセル壁２５１及びサブセル壁３に対応するスリットを設けた金型（図示略）を用いることである。
【００２９】
次に、本例の排ガス浄化用フィルタ１の作用効果について説明する。
本例の排ガス浄化用フィルタ１は、上記のごとく、一部のメインセル２０が、サブセル壁３が形成され、２つの三角形状に分割された第１分割セル３１、第２分割セル３２、あるいは４つの三角形状に分割された第３分割セル３３のいずれかとなった基材２を用いている。そのため、この基材２は、上記サブセル壁３が増加した分だけ、これがないものに比べて熱容量が増加する。熱容量の増加は耐熱性の向上につながる。それ故、排ガス浄化用フィルタ１は、サブセル壁３を有していない場合よりも耐熱性に優れたものとなり、捕集したパティキュレートを燃焼除去する頻度を従来よりも少なくすることが可能となる。
【００３０】
また、上記分割セル３０は、上記サブセル壁３が連続的に存在するように規則性を持って配設されている。そのため、サブセル壁３が支柱の役割を担い、基材２の強度バランスが良好になり、収縮方向のバラツキが小さいため、寸法精度が向上する。
また、上記メインセル壁２５１に平行な２方向において４個離れた上記分割セル３０同士が同じ形状を有し、かつ、上記規則配列領域内に存在する上記メインセル２０の総数に対する上記分割セル３０の割合は、３７．５％である。これにより、適度な開口面積を有することができ、圧力損失を小さく抑えることができる。
また、上記分割セル３０が上記排出通路２２となる位置にのみ形成されているため、導入通路２１において生じる圧力損失を低く抑えることができる。
【００３１】
また、本例の基材２は、コーディエライトを主成分とするセラミックスよりなる。コーディエライトは、現在排ガス浄化用フィルタとして主流となっているＳｉＣに比べて、耐熱性が低いという欠点がある。この欠点は、上記構成による熱容量の増加によって補うことが可能となる。そのため、ＳｉＣよりも低価格なコーディエライト製の排ガス浄化用フィルタの普及を進めることができ、ディーゼルエンジンの排ガス浄化システム全体の低価格化に寄与することができる。
【００３２】
（実施例２）
本例は、図４に示すごとく、上記メインセル壁２５１に平行な２方向において５個離れた上記分割セル３０同士が同じ形状を有し、また、サブセル壁３が上記排出通路２１となる位置だけでなく上記導入通路２２となる位置にも配設されている構造とした例である。規則配列領域内に存在する上記メインセル２０の総数に対する上記分割セル３０の割合は、３６％である。その他の構造は、実施例１と同様である。
この場合には、実施例１の場合よりも、基材断面における分割セル３０の割合が小さく、開口している面積が大きいため、圧力損失をさらに低く抑えることができる。その他は実施例１と同様の作用効果が得られる。
【００３３】
（実施例３）
本例は、図５に示すごとく、上記メインセル壁２５１に平行な２方向において６個離れた上記分割セル３０同士が同じ形状を有する構造とした例である。規則配列領域内に存在する上記メインセル２０の総数に対する上記分割セル３０の割合は、２７．８％である。その他の構造は実施例１と同様である。
この場合には、実施例１の場合よりも、基材断面における分割セル３０の割合が小さく、開口している面積が大きいため、圧力損失をさらに小さくすることができる。その他は実施例１と同様の作用効果が得られる。
【００３４】
（実施例４）
本例は、図６に示すごとく、実施例２における任意の一つのサブセル壁３について、同図における右方向に１セルずらした位置にも同一のサブセル壁２５１を配置した例である。この場合も、上記メインセル壁２５１に平行な２方向において５個離れた上記分割セル３０同士が同じ形状を有し、また、サブセル壁３が上記排出通路２１となる位置だけでなく上記導入通路２２となる位置にも配設されている構造を有している。規則配列領域内に存在する上記メインセル２０の総数に対する上記分割セル３０の割合は、６４％である。その他の構造は実施例２と同様である。
この場合には、実施例２の場合よりも、サブセル壁３増加している分だけ耐熱性及び剛性が高くなり、また、収縮し難くなるため、さらに優れた寸法精度を得ることができる。
【００３５】
（実施例５）
本例は、図７に示すごとく、上記規則配列領域内では、実施例１の第３分割セル３３を除き、上記第１延長線Ｋ上と上記第２延長線Ｌ上に一つおきにサブセル壁３が存在するように上記分割セル３０が配設されている構造とした例である。規則配列領域内に存在する上記メインセル２０の総数に対する上記分割セル３０の割合は、２５％である。その他の構造は実施例１と同様である。
この場合には、上記サブセル壁３が上記第１延長線Ｋ上と上記第２延長線Ｌ上に連続して存在していない分、実施例１と比較して開口している面積が大きくなるため、さらに圧力損失を小さくすることが可能である。
【００３６】
（実施例６）
本例は、図８、図９に示すごとく、上記外周領域Ｐ内のメインセル２０を、全て上記サブセル壁３が上記第１の対角線上及び上記第２の対角線上の両方に形成された上記第３分割セル３３とした例である。その他の構造は実施例１と同様である。
図８における外周領域Ｐは上記スキン層２６から５セル以内の領域であり、外周領域Ｐ内のメインセル２０は、図９に示すように、全て上記第３分割セル３３となっており、上記外周領域Ｐよりも内側の規則配列領域Ｑ内は、上記分割セル３０が、実施例１と同様の規則性を持つ構造を有している。
この場合には、実施例１に比べて、外周領域Ｐにおいて、サブセル壁３が増加した分だけ耐熱性及び剛性が高まり、また、外周領域Ｐのメインセル２０が全て第３分割セル３３であるため、強度のバランスが良好になり、さらに優れた寸法精度を得ることができる。
【図面の簡単な説明】
【００３７】
【図１】実施例１における、排ガス浄化用フィルタを端面から見た説明図。
【図２】実施例１における、排ガス浄化用フィルタの縦断面から見た説明図（図１におけるＡ−Ａ線矢視断面図）。
【図３】実施例１における、排ガス浄化用フィルタの横断面から見た説明図（図２におけるＢ−Ｂ線矢視断面図）。
【図４】実施例２における、排ガス浄化用フィルタを端面から見た説明図。
【図５】実施例３における、排ガス浄化用フィルタを端面から見た説明図。
【図６】実施例４における、排ガス浄化用フィルタを端面から見た説明図。
【図７】実施例５における、排ガス浄化用フィルタを端面から見た説明図。
【図８】実施例６における、排ガス浄化用フィルタを端面から見た説明図。
【図９】実施例６における、排ガス浄化用フィルタの外周領域内のメインセルを示す説明図。
【符号の説明】
【００３８】
１  排ガス浄化用フィルタ
２  基材
２０  メインセル
２１  導入通路
２２  排出通路
２５  多孔質隔壁
２５１  メインセル壁
３  サブセル壁
３０  分割セル
３１  第１分割セル
３２  第２分割セル
３３  第３分割セル
４  栓部材
【図１】
2007291999.tif 000003
【図２】
2007291999.tif 000004
【図３】
2007291999.tif 000005
【図４】
2007291999.tif 000006
【図５】
2007291999.tif 000007
【図６】
2007291999.tif 000008
【図７】
2007291999.tif 000009
【図８】
2007291999.tif 000010
【図９】
2007291999.tif 000011